(57)【要約】【課題】端末装置の操作に集中してテレビジョン放送を見逃したユーザが、その後に見逃したテレビジョン放送を視聴することができる録画装置及びテレビジョン受信機及び録画システムを提供する。【解決手段】録画機能を有するテレビジョン受信機１と携帯電話器５との間で、通信線４を介した情報の送受信を行う。携帯電話器５は、操作部５６にて受け付けた操作内容を通信部５９にてテレビジョン受信機１へ送信する。テレビジョン受信機１は、携帯電話器５から送信された操作内容を通信部１３にて受信し、所定時間内に所定回数分の操作内容を受信した場合、即ち携帯電話器５にて所定時間内に所定回数の操作がなされた場合に、チューナ部１１にて受信したテレビジョン放送に係る番組の録画を開始する。【選択図】図１
2013255213.tif 000002
【特許請求の範囲】
【請求項１】
画像を録画する録画手段を備える録画装置において、
他の装置に対する操作に係る信号を受信する受信手段を備え、
前記録画手段は、所定時間内に所定回数分の操作に係る信号を前記受信手段が受信した場合に、録画を開始するようにしてあること
を特徴とする録画装置。
【請求項２】
自装置に対する操作を受け付ける受付手段と、
該受付手段が所定の操作を受け付けた場合に、前記受信手段の信号受信により前記録画手段が録画した画像を再生する再生手段と
を更に備えること
を特徴とする請求項１に記載の録画装置。
【請求項３】
前記受信手段の信号受信により前記録画手段が録画を開始した後、前記受信手段が操作に係る信号を所定時間受信しない場合に、前記録画手段が録画した画像を再生する再生手段を更に備えること
を特徴とする請求項１又は請求項２に記載の録画装置。
【請求項４】
前記受信手段の信号受信により前記録画手段が録画した画像の前記再生手段による再生が所定時間に亘って開始されない場合に、前記画像を消去する消去手段を更に備えること
を特徴とする請求項２又は請求項３に記載の録画装置。
【請求項５】
前記受信手段が受信した信号が、自装置の操作に係る信号であるか否かを判定する判定手段を更に備え、
前記録画手段は、受信した信号が自装置の操作に係る信号であると前記判定手段が判定した場合、録画を開始しないようにしてあること
を特徴とする請求項１から請求項４までのいずれか１つに記載の録画装置。
【請求項６】
前記録画手段が録画を開始する前に、前記他の装置へ録画の可否を問い合わせる手段と、
該手段の問い合わせに対する応答を前記他の装置から受信する手段と
を更に備え、
前記他の装置から録画を許可する応答を受信した場合に、前記録画手段が録画を開始するようにしてあること
を特徴とする請求項１から請求項５までのいずれか１つに記載の録画装置。
【請求項７】
請求項１から請求項６までのいずれか１つに記載の録画装置と、
テレビジョン放送を受信するテレビジョン放送受信手段と
を備え、
前記録画装置の録画手段は、前記テレビジョン放送受信手段が受信したテレビジョン放送に係る画像を録画するようにしてあること
を特徴とするテレビジョン受信機。
【請求項８】
消費電力が少ない低消費電力動作状態、又は、該低消費電力動作状態以外の動作状態に切り替える状態切替手段を更に備え、
該状態切替手段は、所定時間内に所定回数分の操作に係る信号を前記受信手段が受信した場合に、前記低消費電力動作状態への切り替えを行うようにしてあること
を特徴とする請求項７に記載のテレビジョン受信機。
【請求項９】
前記テレビジョン放送受信手段が受信したテレビジョン放送から所定の情報を抽出する手段と、
該手段が抽出した情報を前記他の装置へ送信する手段と
を更に備えること
を特徴とする請求項７又は請求項８に記載のテレビジョン受信機。
【請求項１０】
前記情報は、テレビジョン放送の番組に係るキーワードであること
を特徴とする請求項９に記載のテレビジョン受信機。
【請求項１１】
テレビジョン放送を受信するテレビジョン放送受信手段を備えるテレビジョン受信機において、
他の装置に対する操作に係る信号を受信する受信手段と、
消費電力が少ない低消費電力動作状態、又は、該低消費電力動作状態以外の動作状態に切り替える状態切替手段と
を備え、
該状態切替手段は、所定時間内に所定回数分の操作に係る信号を前記受信手段が受信した場合に、前記低消費電力動作状態への切り替えを行うようにしてあること
を特徴とするテレビジョン受信機。
【請求項１２】
前記テレビジョン放送受信手段が受信したテレビジョン放送から所定の情報を抽出する手段と、
該手段が抽出した情報を前記他の装置へ送信する手段と
を更に備えること
を特徴とする請求項１１に記載のテレビジョン受信機。
【請求項１３】
可搬型の端末装置と、
請求項１から請求項６までのいずれか１つに記載の録画装置と
を備え、
前記録画装置の受信手段は、前記端末装置に対する操作に係る信号を受信するようにしてあること
を特徴とする録画システム。
【請求項１４】
可搬型の端末装置と、
請求項７から請求項１２までのいずれか１つに記載のテレビジョン受信機と
を備え、
前記テレビジョン受信機が備える前記録画装置の受信手段は、前記端末装置に対する操作に係る信号を受信するようにしてあること
を特徴とする録画システム。
【発明の詳細な説明】
【技術分野】
【０００１】
本発明は、テレビジョン放送に係る画像などを録画する録画装置、テレビジョン放送を受信するテレビジョン受信機、並びに、これらの録画装置及びテレビジョン受信機を備える録画システムに関する。
【背景技術】
【０００２】
従来、テレビジョン放送を受信するテレビジョン受信機が広く普及している。テレビジョン放送では番組の放送時間が予め定められており、この放送時間に視聴できないユーザが、放送時間終了後に番組を視聴するため、例えばハードディスク、ＤＶＤ（Digital Versatile Disk）又はＢＤ（Blu-ray Disc、登録商標）等に番組を録画する録画装置が用いられている。また近年では、例えばハードディスクなどによる録画装置を内蔵したテレビジョン受信機がある。
【０００３】
特許文献１においては、テレビジョン放送の受信映像を表示部に出力している受信出力中に、ユーザの動作に応じてユーザの視聴状況、例えば瞼を開いているか又は閉じているかを判別し、この視聴状況に応じて放送受信映像を録画するか否かを制御する映像出力装置が提案されている。この映像出力装置は、テレビジョン放送の視聴中に、意に反して視聴を中断した場合に、ユーザが後でこれを視聴することができる。
【先行技術文献】
【特許文献】
【０００４】
【特許文献１】特開２００８−１５４１２５号公報
【発明の概要】
【発明が解決しようとする課題】
【０００５】
近年、携帯電話器、スマートフォン又はタブレット端末等の可搬型の端末装置が普及している。このような端末装置では、例えば電子メールの送受信又はインターネットに接続しての情報閲覧等を行うことができる。テレビジョン放送の視聴中に、例えばユーザが電子メールを送受信する操作を端末装置にて行った場合、端末装置の操作に集中してユーザがテレビジョン放送を見逃す虞がある。特許文献１に記載の映像出力装置は、カメラにてユーザを撮影し、撮影により得られた画像を基にユーザの視聴状況を判別しているが、ユーザが端末装置の操作に集中しているか否かをカメラの撮影画像に基づいて判断することは容易ではない。
【０００６】
本発明は、斯かる事情に鑑みてなされたものであって、その目的とするところは、端末装置の操作に集中してテレビジョン放送を見逃したユーザが、その後に見逃したテレビジョン放送を視聴することができる録画装置、テレビジョン受信機及び録画システムを提供することにある。また本発明の他の目的とするところは、端末装置の操作に集中してユーザがテレビジョン放送を視聴していない場合に、消費電力を低減できるテレビジョン受信機及び録画システムを提供することにある。
【課題を解決するための手段】
【０００７】
本発明に係る録画装置は、画像を録画する録画手段を備える録画装置において、他の装置に対する操作に係る信号を受信する受信手段を備え、前記録画手段は、所定時間内に所定回数分の操作に係る信号を前記受信手段が受信した場合に、録画を開始するようにしてあることを特徴とする。
【０００８】
また、本発明に係る録画装置は、自装置に対する操作を受け付ける受付手段と、該受付手段が所定の操作を受け付けた場合に、前記受信手段の信号受信により前記録画手段が録画した画像を再生する再生手段とを更に備えることを特徴とする。
【０００９】
また、本発明に係る録画装置は、前記受信手段の信号受信により前記録画手段が録画を開始した後、前記受信手段が操作に係る信号を所定時間受信しない場合に、前記録画手段が録画した画像を再生する再生手段を更に備えることを特徴とする。
【００１０】
また、本発明に係る録画装置は、前記受信手段の信号受信により前記録画手段が録画した画像の前記再生手段による再生が所定時間に亘って開始されない場合に、前記画像を消去する消去手段を更に備えることを特徴とする。
【００１１】
また、本発明に係る録画装置は、前記受信手段が受信した信号が、自装置の操作に係る信号であるか否かを判定する判定手段を更に備え、前記録画手段は、受信した信号が自装置の操作に係る信号であると前記判定手段が判定した場合、録画を開始しないようにしてあることを特徴とする。
【００１２】
また、本発明に係る録画装置は、前記録画手段が録画を開始する前に、前記他の装置へ録画の可否を問い合わせる手段と、該手段の問い合わせに対する応答を前記他の装置から受信する手段とを更に備え、前記他の装置から録画を許可する応答を受信した場合に、前記録画手段が録画を開始するようにしてあることを特徴とする。
【００１３】
また、本発明に係るテレビジョン受信機は、上述の録画装置と、テレビジョン放送を受信するテレビジョン放送受信手段とを備え、前記録画装置の録画手段は、前記テレビジョン放送受信手段が受信したテレビジョン放送に係る画像を録画するようにしてあることを特徴とする。
【００１４】
また、本発明に係るテレビジョン受信機は、消費電力が少ない低消費電力動作状態、又は、該低消費電力動作状態以外の動作状態に切り替える状態切替手段を更に備え、該状態切替手段は、所定時間内に所定回数分の操作に係る信号を前記受信手段が受信した場合に、前記低消費電力動作状態への切り替えを行うようにしてあることを特徴とする。
【００１５】
また、本発明に係るテレビジョン受信機は、前記テレビジョン放送受信手段が受信したテレビジョン放送から所定の情報を抽出する手段と、該手段が抽出した情報を前記他の装置へ送信する手段とを更に備えることを特徴とする。
【００１６】
また、本発明に係るテレビジョン受信機は、前記情報が、テレビジョン放送の番組に係るキーワードであることを特徴とする。
【００１７】
また、本発明に係るテレビジョン受信機は、テレビジョン放送を受信するテレビジョン放送受信手段を備えるテレビジョン受信機において、他の装置に対する操作に係る信号を受信する受信手段と、消費電力が少ない低消費電力動作状態、又は、該低消費電力動作状態以外の動作状態に切り替える状態切替手段とを備え、該状態切替手段は、所定時間内に所定回数分の操作に係る信号を前記受信手段が受信した場合に、前記低消費電力動作状態への切り替えを行うようにしてあることを特徴とする。
【００１８】
また、本発明に係るテレビジョン受信機は、前記テレビジョン放送受信手段が受信したテレビジョン放送から所定の情報を抽出する手段と、該手段が抽出した情報を前記他の装置へ送信する手段とを更に備えることを特徴とする。
【００１９】
また、本発明に係る録画システムは、可搬型の端末装置と、上述の録画装置とを備え、前記録画装置の受信手段は、前記端末装置に対する操作に係る信号を受信するようにしてあることを特徴とする。
【００２０】
また、本発明に係る録画システムは、可搬型の端末装置と、上述のテレビジョン受信機とを備え、前記テレビジョン受信機が備える前記録画装置の受信手段は、前記端末装置に対する操作に係る信号を受信するようにしてあることを特徴とする。
【００２１】
本発明においては、録画装置は可搬型の端末装置との間で、直接的に又は間接的に信号の送受信を行う。端末装置はユーザの操作を受け付け、受け付けた操作に係る信号を送信し、録画装置は端末装置から操作に係る信号を受信する。録画装置は、所定時間内に所定回数分の操作に係る信号を端末装置から受信した場合、即ち端末装置にて所定時間内に所定回数の操作がなされた場合に、録画を開始する。例えば数十秒〜数分程度の間に数回〜十数回程度の操作が端末装置にてなされた場合、ユーザは端末装置の操作に集中していることが推定され、ユーザがテレビジョン放送を視聴していない（見逃している）ことが推定される。よってこのような場合に録画を開始することにより、ユーザは端末装置の操作終了後に録画した画像（見逃した画像）を視聴することが可能となる。
【００２２】
また、本発明においては、例えばリモートコントローラ（以下、リモコンという）又は装置本体に設けられたボタン等、録画装置は自装置に対する操作を受け付ける手段を備える。録画装置は、所定の操作を受け付けた場合に、端末装置に対する操作により録画を開始した画像の再生を行う。これによりユーザは、明示的な操作によって録画した画像を再生し、視聴することができる。
【００２３】
端末装置からの操作に係る信号を所定時間受信しない場合、ユーザが端末装置の操作を行っていない（操作を終了した）と推定される。そこで本発明においては、端末装置に対する操作により録画を開始した後、操作に係る信号を所定時間受信しない場合、録画開始した画像の再生を行う。これにより、ユーザが端末装置に対する操作を終了した後、録画した画像の再生を自動的に行うことができる。
【００２４】
また、本発明においては、端末装置に対する操作により録画を開始した画像が、所定時間再生されない場合、この画像を消去する。これにより、録画装置が自動的に録画した画像によって、装置内のハードディスク又はメモリ等の残容量が低下することを防止できる。
【００２５】
また、本発明においては、ユーザが端末装置をリモコンのように用いて録画装置の操作を行うことを可能とすべく、端末装置は録画装置に対する操作を受け付けて、受け付けた操作に係る信号を録画装置へ送信し、録画装置は受信した信号に応じた処理を行う。この構成において、録画装置は、端末装置から操作に係る信号を受信した場合、この信号が自装置（録画装置）の操作に係る信号であるか、又は、端末装置の操作に係る信号であるかを判定する。自装置の操作に係る信号の場合、録画装置は、所定時間内に所定回数分の信号を受信した場合であっても、録画を開始しない。これにより、ユーザにとって不要な画像の録画が開始されることを防止できる。
【００２６】
また、本発明においては、録画を開始する前に録画装置が端末装置へ録画の可否を問い合わせる。問い合わせを受けた端末装置は、例えば問い合わせに関するメッセージ表示などを行って、録画を行うか否かの選択をユーザから受け付け、ユーザの選択を録画装置へ応答として送信することができる。録画装置は、端末装置からの応答に応じて録画を行うか否かを判断する。これにより、ユーザにとって不要な画像の録画が開始されることを防止できる。
【００２７】
また、本発明においては、上述の機能を有する録画装置をテレビジョン受信機が備える。これにより、テレビジョン受信機に外部の録画装置を接続することなく、上述のような録画機能を実現することができ、ユーザが容易にこの録画機能を利用することができる。
【００２８】
また、本発明においてテレビジョン受信機は、例えば画像表示を行わないなどにより消費電力を低減した低消費電力動作状態と、例えば画像表示を行う通常の動作状態などその他の動作状態との切り替えを行うことができる構成とする。テレビジョン受信機は、所定時間内に所定回数分の操作に係る信号を端末装置から受信した場合、即ち端末装置にて所定時間内に所定回数の操作がなされた場合に、低消費電力動作状態への切り替えを行う。例えば数十秒〜数分程度の間に数回〜十数回程度の操作が端末装置にてなされた場合、ユーザは端末装置の操作に集中していることが推定され、ユーザがテレビジョン放送を視聴していないことが推定されるため、このような場合に低消費電力動作状態への切り替えを行うことによって、テレビジョン受信機の消費電力を低減することができる。
【００２９】
また、本発明においては、受信したテレビジョン放送から所定の情報、例えば放送中の番組に係るキーワードなどのテキスト情報を取得して、端末装置へ送信する。端末装置は、例えば録画装置からの情報を検索用のキーワードとして表示して、ユーザのキーワード選択に応じてインターネットなどを介した情報検索を行うことができる。このような状況において、ユーザが端末装置の操作に集中した場合には、上述のように録画装置にてテレビジョン放送に係る画像を録画することができる。
【発明の効果】
【００３０】
本発明による場合は、所定時間内に所定回数分の操作に係る信号を端末装置から受信した場合に録画を開始する構成とすることにより、ユーザが端末装置の操作に集中して見逃していることが推定されるテレビジョン放送が自動的に録画され、端末装置の操作終了後に録画された画像をユーザが視聴することができるため、利便性の高い録画装置及びテレビジョン受信機を提供できる。また、所定時間内に所定回数分の操作に係る信号を端末装置から受信した場合に低消費電力動作状態への切り替えを行う構成とすることにより、端末装置の操作に集中してユーザがテレビジョン放送を視聴していないと推定される期間の消費電力を低減することができるため、節電又は省エネルギー等に貢献できる。
【図面の簡単な説明】
【００３１】
【図１】実施の形態１に係る録画システムの構成を示すブロック図である。
【図２】実施の形態１に係る録画システムの構成を示すブロック図である。
【図３】携帯電話器が行う操作内容の送信処理の手順を示すフローチャートである。
【図４】テレビジョン受信機が行う録画処理を説明するための状態遷移図である。
【図５】テレビジョン受信機が待機状態にて行う処理の手順を示すフローチャートである。
【図６】テレビジョン受信機が準備状態にて行う処理の手順を示すフローチャートである。
【図７】テレビジョン受信機が録画状態にて行う処理の手順を示すフローチャートである。
【図８】テレビジョン受信機が録画状態にて行う処理の手順を示すフローチャートである。
【図９】テレビジョン受信機が行う録画番組の自動消去処理の手順を示すフローチャートである。
【図１０】実施の形態２に係るテレビジョン受信機の低消費電力機能を説明するための状態遷移図である。
【図１１】実施の形態２に係るテレビジョン受信機が低消費電力状態にて行う処理の手順を示すフローチャートである。
【図１２】実施の形態３に係るテレビジョン受信機が準備状態にて行う処理の手順を示すフローチャートである。
【図１３】実施の形態３に係る携帯電話器が行う処理の手順を示すフローチャートである。
【図１４】携帯電話器によるテキスト情報の表示例を示す模式図である。
【図１５】実施の形態４に係るテレビジョン受信機が待機状態にて行う処理の手順を示すフローチャートである。
【図１６】実施の形態４に係る携帯電話器が行う検索キーワード表示処理の手順を示すフローチャートである。
【発明を実施するための形態】
【００３２】
（実施の形態１）
以下、本発明をその実施の形態を示す図面に基づき具体的に説明する。図１及び図２は、実施の形態１に係る録画システムの構成を示すブロック図である。本実施の形態に係る録画システムは、録画機能を有するテレビジョン受信機１に、可搬型の端末装置である携帯電話器５を通信線４にて接続した構成である。なお、テレビジョン受信機１の詳細構成を図１に示し、携帯電話器５の詳細構成を図２に示してある。
【００３３】
テレビジョン受信機１は、テレビジョン放送の電波を受信するチューナ部１１を備え、受信したテレビジョン放送の番組に係る画像を表示部１２に表示する。チューナ部１１は、ユーザの選局操作に応じて所定のテレビジョン放送を受信し、受信したデータを制御部１０へ与える。なおテレビジョン受信機１は、複数のチューナ部１１を備える構成であってよい。制御部１０は、チューナ部１１から与えられた受信データをデコードし、デコードしたデータに含まれる画像（映像）データに対して画質補正などの画像処理を行い、画像処理後のデータを表示部１２へ与える。表示部１２は、例えば液晶パネル又はＰＤＰ（Plasma Display Panel）等を用いて構成され、制御部１０から与えられた画像データに基づく画像表示を行う。また図示は省略するが、制御部１０は、デコードしたデータに含まれる音声データをスピーカへ与えることにより音声出力を行う。
【００３４】
テレビジョン受信機１は、携帯電話器５などの外部機器が通信線４を介して接続される接続端子を有する通信部１３を備えている。通信部１３は、例えばＭＨＬ（Mobile High-definition Link）、ＨＤＭＩ（High-Definition Multimedia Interface）又はＵＳＢ（Universal Serial Bus）等の規格による有線接続にて、携帯電話器５との間でのテータ送受信を行う。通信部１３は、制御部１０から与えられたデータを携帯電話器５へ送信すると共に、携帯電話器５からのデータを受信して制御部１０へ与える。また本実施の形態において、通信部１３は、通信線４を介して接続された携帯電話器５などの外部機器へ、図示しない電源回路からの電力を供給することができる。
【００３５】
またテレビジョン受信機１は、ＥＥＰＲＯＭ（Electrically Erasable Programmable Read Only Memory）又はフラッシュメモリ等の不揮発性のメモリ素子で構成されたＲＯＭ１４を備えている。制御部１０は、ＣＰＵ（Central Processing Unit）又はＭＰＵ（Micro Processing Unit）等の演算処理装置を備えて構成されており、ＲＯＭ１４に記憶された制御プログラムを読み出して実行することにより、種々の制御処理を行う。ＲＯＭ１４には、この制御プログラムと、制御プログラムの実行に必要な各種のデータとが記憶されている。
【００３６】
テレビジョン受信機１は、種々のデータを一時的に記憶するＲＡＭ（Random Access Memory）１５を備えている。ＲＡＭ１５は、ＳＲＡＭ（Static RAM）又はＤＲＡＭ（Dynamic RAM）等のメモリ素子で構成され、制御部１０の処理過程において発生した一時的なデータ、通信部１３にて送受信するデータ、又は、チューナ部１１にて受信したデータに含まれる番組表データ等の種々のデータが記憶される。
【００３７】
テレビジョン受信機１には、ユーザが操作を行うためのリモートコントローラ（以下、リモコンという）３が付属している。リモコン３は、例えば電源ボタン、選局ボタン及び音量増減ボタン等が設けられた操作部３１と、操作部３１に対してなされた操作に応じた赤外線信号を送信する赤外線送信部３２とを備えている。また本実施の形態に係るリモコン３は、テレビジョン受信機１が録画した番組を再生するためのボタンが設けられている。
【００３８】
テレビジョン受信機１は、リモコン３が出力した赤外線信号を受信する赤外線受信部１６を備えている。赤外線受信部１６は、受信した赤外線信号を電気信号に変換して制御部１０へ与える。制御部１０は、赤外線受信部１６から与えられた電気信号に基づいてユーザの操作内容を判断し、操作内容に応じて例えば電源のオン／オフ、選局の切り替え及び音量の増減等の処理を行う。なおテレビジョン受信機１の本体部に操作部が設けられていてもよい。
【００３９】
またテレビジョン受信機１は、テレビジョン放送に係る番組データを記録する番組記録部１７を備えている。番組記録部１７は、ＨＤＤ（Hard Disk Drive）などの磁気記録装置、フラッシュメモリなどの不揮発性のメモリ素子、又は、ＤＶＤ（Digital Versatile Disk）若しくはＢＤ（Blue-ray Disc）等のディスク型記録媒体を装着するディスクドライブ等により構成されるものである。番組記録部１７が記録する番組データは、テレビジョン放送の番組に係る画像データ及び音声データの他に、例えば字幕又は番組表等のデータを含んでよい。なお番組記録部１７は、テレビジョン受信機１に内蔵されていない外付けのＨＤＤなどであってもよい。
【００４０】
テレビジョン受信機１は、例えばリモコン３の選局ボタンの操作により選局されたテレビジョン放送をチューナ部１１にて受信し、受信したテレビジョン放送に係る番組の画像を表示部１２に表示する。またテレビジョン受信機１は、例えばリモコン３にて番組表の表示操作がなされた場合、チューナ部１１にて受信して番組記録部１７又はＲＡＭ１５に記憶した番組表のデータを読み出し、表示部１２に番組表を表示する。番組表から一又は複数の番組が選択され、ユーザにより録画（予約録画）の操作がなされた場合、テレビジョン受信機１は、当該番組の放送局、開始時刻及び終了時刻等の設定情報を番組記録部１７又はＲＡＭ１５に記憶する。その後、テレビジョン受信機１は、予約録画に係る番組の開始時刻に至った場合、設定されたテレビジョン放送をチューナ部１１にて受信して、受信したテレビジョン放送に係る番組データの番組記録部１７による記録を開始し、設定された終了時刻に至った場合に番組データの記録を終了する。
【００４１】
またテレビジョン受信機１は、例えばリモコン３にて番組記録部１７に記録した番組の一覧表示の操作がなされた場合、番組記録部１７に記録した番組の番組名又はサムネイル等の一覧表示を行う。一覧表示から一の番組が選択され、ユーザにより再生の操作がなされた場合、テレビジョン受信機１は、選択された番組に係る番組データを番組記録部１７から読み出し、表示部１２に番組を表示する。またテレビジョン受信機１は、番組記録部１７への番組の記録（録画）と、番組記録部１７に記録された番組の再生とを同時的に行うことができる。
【００４２】
携帯電話器５は、携帯電話網の基地局との間で無線通信を行う電話網通信部５２を備え、音声入力部５４から入力された音声を電話網通信部５２が送信すると共に、電話網通信部５２が受信した音声を音声出力部５３が出力することにより、他の携帯電話器５との間で通話を行う機器である。音声入力部５４は、いわゆるマイクなどであり、ユーザが発した音声をデジタルの音声データに変換して制御部５１へ与える。音声出力部５３は、いわゆるスピーカなどであり、制御部５１から与えられた音声データに応じて音声出力を行う。電話網通信部５２は、制御部５１の制御により通話先との接続を確立した後、制御部５１から与えられる音声データを送信し、受信した音声データを制御部５１へ与える。
【００４３】
また携帯電話器５は、メニューなどの画像を表示する表示部５５と、ユーザの操作を受け付ける操作部５６とを備えている。表示部５５は、液晶パネルなどを用いて構成され、制御部５１から与えられた画像データに基づいて画像表示を行う。操作部５６は、例えば数字又は文字等を入力するためのボタン及び各種の機能が割り当てられた機能ボタン等が設けられ、操作されたボタンに応じた信号を制御部５１へ与える。なお操作部５６は、タッチパネルを用いたものであってもよい。携帯電話器５は、電話網通信部５２による携帯電話網を介した通信によって、電子メールの送受信及びインターネットアクセス等を行うことができ、この場合に表示部５５は電子メール又はウェブページ等の表示を行い、操作部５６は電子メールの文章入力の受け付けなどを行う。
【００４４】
制御部５１は、ＣＰＵ又はＭＰＵ等の演算処理装置を備えて構成されており、ＲＯＭ５７に記憶された制御プログラムを読み出して実行することにより、種々の制御処理を行う。ＲＯＭ５７は、ＥＥＰＲＯＭ又はフラッシュメモリ等の不揮発性のメモリ素子で構成され、制御部５１が実行する制御プログラムと、制御プログラムの実行に必要な各種のデータとを記憶している。また携帯電話器５は、種々のデータを一時的に記憶するＲＡＭ５８を備えている。ＲＡＭ５８は、ＳＲＡＭ又はＤＲＡＭ等のメモリ素子で構成され、制御部５１の処理過程において発生した一時的なデータ、及び、電話網通信部５２若しくは通信部５９にて送受信するデータ等を記憶する。
【００４５】
携帯電話器５は、テレビジョン受信機１などの外部機器が通信線４を介して接続される接続端子を有する通信部５９を備えている。通信部５９は、例えばＭＨＬ、ＨＤＭＩ又はＵＳＢ等の規格による有線接続にて、テレビジョン受信機１との間でのデータ送受信を行う。通信部５９は、制御部５１から与えられたデータをテレビジョン受信機１へ送信すると共に、テレビジョン受信機１からのデータを受信して制御部５１へ与える。また本実施の形態において、通信部５９は、通信線４を介してテレビジョン受信機１から供給される電力を、図示しない電池の充電回路へ与えることにより、充電を行うことができる。
【００４６】
このように本システムでは、携帯電話器５の電池の残容量が低下した場合に、ユーザはテレビジョン受信機１に通信線４を介して携帯電話器５を接続することによって、携帯電話器５の電池の充電を行うことができる。携帯電話器５は、テレビジョン受信機１に接続して充電を行っている状態であっても、通話及び電子メールの送受信等を行うことができる。
【００４７】
また本システムでは、リモコン３に代えて、テレビジョン受信機１に接続した携帯電話器５を用いて、例えば選局、音量増減又は録画予約等の操作をユーザが行うことができる。携帯電話器５は、例えば表示部５５にテレビジョン受信機１の操作用のメニューを表示して、操作部５６にてテレビジョン受信機１に対する操作を受け付ける。テレビジョン受信機１に対する操作を受け付けた携帯電話器５は、受け付けた操作内容を通信部５９にてテレビジョン受信機１へ送信する。テレビジョン受信機１は、通信部１３にて携帯電話器５から受信した操作内容に応じて、例えば選局、音量増減又は録画予約等の処理を行う。
【００４８】
ユーザがテレビジョン受信機１にてテレビジョン放送の番組を視聴している際に、例えばテレビジョン受信機１に接続された携帯電話器５が電子メールを受信し、これに対する返信を行うためユーザが携帯電話器５を操作し始める状況が起こり得る。このような状況において、ユーザは携帯電話器５の操作に集中し、テレビジョン受信機１の番組を視聴していない（見逃している）虞がある。そこで本実施の形態に係る録画システムは、ユーザが携帯電話器５の操作を行っている際に、視聴していた番組を自動的に録画する機能を有している。以下、この自動録画機能について説明する。
【００４９】
通信線４を介してテレビジョン受信機１に接続された携帯電話器５は、操作部５６に対するユーザの操作を受け付けた場合、通信部５９にてテレビジョン受信機１へ通知を行う（操作に係る信号を送信する）。携帯電話器５によるテレビジョン受信機１への通知は、例えば操作部５６に対する操作の有無を通知するのみであってもよく、何れのボタンが操作されたか又は何れのメニューが選択されたか等のように操作内容を通知するものであってもよい。
【００５０】
なお上述のように本システムでは携帯電話器５を用いてテレビジョン受信機１の操作を行うことができ、この際にも携帯電話器５からテレビジョン受信機１へ操作内容が送信される。このためテレビジョン受信機１にて混同されることがないように、携帯電話器５は、自装置（携帯電話器５）に関する操作であるか他装置（テレビジョン受信機１）に関する操作であるかを区別できるように、テレビジョン受信機１への送信を行う。例えば携帯電話器５は、自装置に関する操作が操作部５６にてなされた場合、操作の有無のみをテレビジョン受信機１へ通知し、テレビジョン受信機１に関する操作がなされた場合、操作内容を送信する構成とすることができる。また例えば携帯電話器５は、自装置に関する操作であるかテレビジョン受信機１に関する操作であるかを示す情報をヘッダとして付し、操作内容を送信する構成とすることができる。
【００５１】
携帯電話器５から操作内容の通知を通信部１３にて受信したテレビジョン受信機１は、受信した操作内容が自装置（テレビジョン受信機１）に関する操作であるか、又は、携帯電話器５に関する操作であるかを判定する。受信した操作内容が自装置に関する操作である場合、上述のように、テレビジョン受信機１は操作内容に応じた処理を行う。
【００５２】
受信した操作内容が携帯電話器５に関する操作である場合、テレビジョン受信機１は、携帯電話器５に対する操作の監視を開始する。テレビジョン受信機１は、所定時間（例えば数十秒又は数分等）当たりの携帯電話器５に対する操作回数をカウントし、操作回数が所定回数を超えるか否かを判定する。所定時間の操作回数が所定回数を超えた場合、テレビジョン受信機１は、チューナ部１１にて受信しているテレビジョン放送の番組の録画を開始する。テレビジョン受信機１は、録画開始した番組を、この番組が終了するまで録画するが、例えばユーザによる録画停止操作などに応じて番組終了前に録画を停止してもよい。
【００５３】
携帯電話器５の操作に応じて番組の録画を開始したテレビジョン受信機１は、携帯電話器５に対する操作の監視を継続して行い、所定時間（例えば数分又は十数分等）に亘って操作がない場合に、録画した番組の再生を行う。このときテレビジョン受信機１は、番組の録画及び再生を並行して行い、当該番組の放送時間に対しある程度の遅れをもって番組を再生する（いわゆるタイムシフト再生）。なお番組の再生に先立って、テレビジョン受信機１は、録画した番組の再生を行うか否かをユーザに選択させるべく、表示部１２にメッセージ表示などを行ってもよい。
【００５４】
またテレビジョン受信機１は、録画した番組の再生をテレビジョン受信機１が自動的に行うのみでなく、リモコン３の操作部３１に対する操作に応じて行うこともできる。例えば、リモコン３の操作部３１には”見逃し再生ボタン”などが設けられ、このボタンに対する操作がなされた場合に、テレビジョン受信機１は録画した番組の再生を開始する。
【００５５】
またテレビジョン受信機１は、携帯電話器の操作に応じて録画した番組が終了し、録画を終了した後、録画した番組が所定期間（例えば数日又は数十日等）に亘って再生されない場合、この番組に係る番組データを番組記録部１７から消去する。なおテレビジョン受信機１は、番組データの消去に先立って、警告メッセージなどを表示部１２に表示してもよい。
【００５６】
次に、本実施の形態に係る録画システムが行う処理を、フローチャート及び状態遷移図等を用いて説明する。図３は、携帯電話器５が行う操作内容の送信処理の手順を示すフローチャートである。携帯電話器５の制御部５１は、通信部５９が通信線４を介してテレビジョン受信機１に接続されているか否か（有線接続中か否か）を判定する（ステップＳ１）。有線接続中と判定した場合（Ｓ１：ＹＥＳ）、制御部５１は、操作部５６に対する操作がなされたか否かを更に判定する（ステップＳ２）。有線接続中でない場合（Ｓ１：ＮＯ）、又は、操作部５６に対する操作がなされていない場合（Ｓ２：ＮＯ）、制御部５１は、テレビジョン受信機１と有線接続され、且つ、操作部５６に対する操作がなされるまで待機する。
【００５７】
操作部５６に対する操作がなされた場合（Ｓ２：ＹＥＳ）、制御部５１は、その操作内容を通信部５９から通信線４を介してテレビジョン受信機１へ送信し（ステップＳ３）、ステップＳ１へ処理を戻す。なおこのときに制御部５１は、操作部５６に対してなされた操作が自装置に関するものであるか、又は、テレビジョン受信機１に関するものであるかを判定し、例えば判定結果をヘッダ情報として操作内容に付してテレビジョン受信機１へ送信する。
【００５８】
図４は、テレビジョン受信機１が行う録画処理を説明するための状態遷移図である。テレビジョン受信機１の制御部１０は、携帯電話器５に対する操作に応じた自動録画機能に関して、待機状態、準備状態及び録画状態の３状態を遷移して処理を行っている。待機状態は、テレビジョン受信機１の起動後の初期状態であり、自動録画は行っていない状態である。また通信部１３に通信線４を介して携帯電話器５が接続されていない場合、待機状態から他の状態へ遷移することはない。待機状態において制御部１０は、携帯電話器５から送信される操作内容を通信部１３にて受信し、受信した操作内容が自装置に関するものであるか、又は、携帯電話器５に関するものであるかを、例えばヘッダ情報などに基づいて判定する。受信した操作内容が携帯電話器５に関するものである場合に、制御部１０は、待機状態から準備状態へ遷移する。
【００５９】
準備状態は、テレビジョン受信機１が携帯電話器５に対する操作状況を監視している状態である。準備状態において制御部１０は、携帯電話器５から送信される操作内容を通信部１３にて受信し、受信した操作内容に基づいて、所定時間内に所定回数以上の操作（ただし携帯電話器５に関するものに限る）が携帯電話器５にて行われたか否かを判定する。携帯電話器５にて所定時間内に所定回数以上の操作がなされたと判定した場合、制御部１０は、準備状態から録画状態へ遷移する。また制御部１０は、所定時間に亘って携帯電話器５に対する操作がなされていない場合、準備状態から待機状態へ遷移する。
【００６０】
録画状態は、テレビジョン受信機１が番組の録画を行っている状態である。録画状態において制御部１０は、チューナ部１１にて受信したテレビジョン放送に係る番組を番組記録部１７に番組データとして記録する。また録画状態において制御部１０は、通信部１３による操作内容の受信を継続して行い、所定時間に亘って操作内容を受信しない場合、即ち所定時間に亘って携帯電話器５に対する操作がなされない場合に、録画中の番組を再生する処理を行う。録画中の番組の放送が終了した場合、又は、例えばユーザがリモコン３に設けられた録画停止ボタンを操作するなど録画停止操作がなされた場合、制御部１０は、番組の録画を終了して待機状態へ遷移する。
【００６１】
図５は、テレビジョン受信機１が待機状態にて行う処理の手順を示すフローチャートである。テレビジョン受信機１の制御部１０は、通信部１３にて携帯電話器５から送信される操作内容を受信したか否かを判定し（ステップＳ１１）、操作内容を受信していない場合には（Ｓ１１：ＮＯ）、受信するまで待機する。操作内容を受信した場合（Ｓ１１：ＹＥＳ）、制御部１０は、受信した操作内容が自装置に関するものであるか否かを更に判定する（ステップＳ１２）。操作内容が自装置に関するものである場合（Ｓ１２：ＹＥＳ）、制御部１０は、受信した操作に用に応じた処理を行って（ステップＳ１３）、ステップＳ１１へ処理を戻す。受信した操作内容が携帯電話器５に関するものである場合（Ｓ１２：ＮＯ）、制御部１０は、準備状態へ遷移し（ステップＳ１４）、待機状態での処理を終了する。
【００６２】
図６は、テレビジョン受信機１が準備状態にて行う処理の手順を示すフローチャートである。なお本処理においては、操作中カウンタ及び無操作カウンタの２種のカウンタを用いるが、これらは例えば制御部１０内のレジスタなどを用いて実現される。操作中カウンタは携帯電話器５に対する操作が継続されている時間を判定するためのものであり、無操作カウンタは携帯電話器５に対する操作が行われていない時間を判定するためのものである。また判定に用いる３つの閾値Ｔａ〜Ｔｃは、ＲＯＭ１４に予め記憶されている。準備状態へ遷移した制御部１０は、まず、操作中カウンタ及び無操作カウンタの値を０に初期化する（ステップＳ２１）。
【００６３】
次いで制御部１０は、以下の処理を単位時間（例えば数秒〜数十秒など）の周期で繰り返し行う。制御部１０は、通信部１３での携帯電話器５からの操作内容の受信回数を計数することにより、単位時間における携帯電話器５の操作回数を計数し（ステップＳ２２）、計数した操作回数が閾値Ｔａ（例えば１又は２等）以上であるか否かを判定する（ステップＳ２３）。
【００６４】
操作回数が閾値Ｔａ以上の場合（Ｓ２３：ＹＥＳ）、制御部１０は、操作中カウンタの値を１増加させると共に（ステップＳ２４）、無操作カウンタの値を０に設定する（ステップＳ２５）。制御部１０は、操作中カウンタの値が閾値Ｔｂを超えるか否かを判定する（ステップＳ２６）。操作中カウンタの値が閾値Ｔｂを超えない場合（Ｓ２６：ＮＯ）、制御部１０は、ステップＳ２２へ処理を戻す。操作中カウンタの値が閾値Ｔｂを超える場合（Ｓ２６：ＹＥＳ）、制御部１０は、録画状態へ遷移し（ステップＳ２７）、準備状態での処理を終了する。
【００６５】
また、操作回数が閾値Ｔａ未満の場合（Ｓ２３：ＮＯ）、制御部１０は、操作中カウンタの値を０に設定すると共に（ステップＳ２８）、無操作カウンタの値を１増加させる（ステップＳ２９）。制御部１０は、無操作カウンタの値が閾値Ｔｃを超えるか否かを判定する（ステップＳ３０）。無操作カウンタの値が閾値Ｔｃを超えない場合（Ｓ３０：ＮＯ）、制御部１０は、ステップＳ２２へ処理を戻す。無操作カウンタの値が閾値Ｔｃを超える場合（Ｓ３０：ＹＥＳ）、制御部１０は、待機状態へ遷移し（ステップＳ３１）、準備状態での処理を終了する。
【００６６】
なお換言すれば、ステップＳ２２〜Ｓ２６の処理は、所定時間（単位時間×閾値Ｔｂ）における携帯電話器５に対する操作回数が所定回数（閾値Ｔａ×閾値Ｔｂ）を超えるか否かを判定している。同様に、ステップＳ２２、Ｓ２３、Ｓ２８〜Ｓ３０の処理は、所定時間（単位時間×閾値Ｔｃ）に亘って携帯電話器５に対する操作が行われていないことを判定している。
【００６７】
図７及び図８は、テレビジョン受信機１が録画状態にて行う処理の手順を示すフローチャートである。なお本処理においては、無操作カウンタ及び再生フラグを用いるが、これらは例えば制御部１０内のレジスタなどを用いて実現される。無操作カウンタは、図６に示したフローチャートで用いたものと同じである。再生フラグは、録画した番組を再生したか否かを示すものであり、０又は１の値が設定される。録画状態へ遷移した制御部１０は、まず、チューナ部１１にて受信しているテレビジョン放送に係る番組の録画を開始し（ステップＳ４１）、無操作カウンタ及び再生フラグの値を０に初期化する（ステップＳ４２）。
【００６８】
次いで制御部１０は、録画中の番組の放送が終了したか否かを判定し（ステップＳ４３）、番組が終了していない場合には（Ｓ４３：ＮＯ）、リモコン３にて録画停止の操作がなされたか否かを更に判定する（ステップＳ４４）。番組が終了した場合（Ｓ４３：ＹＥＳ）、又は、録画停止の操作がなされた場合（Ｓ４４：ＹＥＳ）、制御部１０は、番組の録画を停止し（ステップＳ４６）、待機状態へ遷移して（ステップＳ４７）、録画状態での処理を終了する。
【００６９】
また録画停止操作がなされていない場合（Ｓ４４：ＮＯ）、制御部１０は、再生フラグの値が１であるか否かを判定する（ステップＳ４５）。再生フラグの値が１の場合（Ｓ４５：ＹＥＳ）、即ち録画した番組の再生が行われている場合、制御部１０は、ステップＳ４３へ処理を戻す。再生フラグの値が０の場合（Ｓ４５：ＮＯ）、即ち録画した番組の再生が行われていない場合、制御部１０は、ステップＳ４８〜Ｓ５４に示す自動再生の判定処理を行う。
【００７０】
制御部１０は、ステップＳ４３〜Ｓ５４の処理を単位時間の周期で繰り返し行う。制御部１０は、通信部１３での携帯電話器５からの操作内容の受信回数を計数することにより、単位時間における携帯電話器５の操作回数を計数し（ステップＳ４８）、計数した操作回数が閾値Ｔａ以上であるか否かを判定する（ステップＳ４９）。操作回数が閾値Ｔａ以上の場合（Ｓ４９：ＹＥＳ）、制御部１０は、無操作カウンタの値を０に設定し（ステップＳ５０）、ステップＳ４３へ処理を戻す。
【００７１】
操作回数が閾値Ｔａ未満の場合（Ｓ４９：ＮＯ）、制御部１０は、無操作カウンタの値を１増加させ（ステップＳ５１）、無操作カウンタの値が閾値Ｔｃを超えるか否かを更に判定する（ステップＳ５２）。無操作カウンタの値が閾値Ｔｃを超えない場合（Ｓ５２：ＮＯ）、制御部１０は、ステップＳ４３へ処理を戻す。無操作カウンタの値が閾値Ｔｃを超える場合（Ｓ５２：ＹＥＳ）、制御部１０は、録画中の番組に係る番組データを番組記録部１７から読み出して番組の再生を開始し（ステップＳ５３）、再生フラグの値を１に設定し（ステップＳ５４）、ステップＳ４３へ処理を戻す。
【００７２】
図９は、テレビジョン受信機１が行う録画番組の自動消去処理の手順を示すフローチャートである。なお本処理は、図４に示した状態遷移図の待機状態にて、所定周期（例えば数時間又は数日）で繰り返し行われる。テレビジョン受信機１の制御部１０は、番組記録部１７に記録した番組データのうち、携帯電話器５に対する操作に応じて自動録画したものについて、未再生の番組データの録画日時をチェックし（ステップＳ６１）、所定期間（例えば数時間又は数日）以上に亘って未再生の番組があるか否かを判定する（ステップＳ６２）。所定期間以上に亘って未再生の番組がない場合（Ｓ６２：ＮＯ）、制御部１０は、自動消去処理を終了する。
【００７３】
所定期間以上に亘って未再生の番組がある場合（Ｓ６２：ＹＥＳ）、制御部１０は、未再生の番組が存在する旨のメッセージを表示部１２に表示し（ステップＳ６３）、未再生番組の消去の可否を、例えばリモコン３の操作により受け付ける（ステップＳ６４）。受け付けた操作に応じて、制御部１０は、未再生番組の消去が許可されたか否かを判定し（ステップＳ６５）、消去が許可された場合（Ｓ６５：ＹＥＳ）、番組記録部１７に記録された未再生番組の番組データを消去し（ステップＳ６６）、自動消去処理を終了する。消去が許可されていない場合（Ｓ６５：ＮＯ）、制御部１０は、番組データを消去することなく、自動消去処理を終了する。
【００７４】
以上の構成の録画システムにおいては、録画機能を有するテレビジョン受信機１と可搬型の端末装置である携帯電話器５との間で、通信線４を介した情報（信号）の送受信を行う。携帯電話器５は、操作部５６にてユーザの操作を受け付け、受け付けた操作内容（操作に係る信号）を通信部５９にてテレビジョン受信機１へ送信する。テレビジョン受信機１は、携帯電話器５から送信された操作内容を通信部１３にて受信する。テレビジョン受信機１は、所定時間内に所定回数分の操作内容を受信した場合、即ち携帯電話器５にて所定時間内に所定回数の操作がなされた場合に、チューナ部１１にて受信したテレビジョン放送に係る番組の録画を開始する。これにより、ユーザが携帯電話器５の操作に集中していることが推定される場合に、視聴中の番組の録画を自動的に開始することができ、携帯電話器５の操作終了後にユーザは見逃した番組を視聴することができる。
【００７５】
またテレビジョン受信機１は、リモコン３の操作部３１に設けられた例えば”見逃し再生ボタン”などに対する操作がなされた場合に、携帯電話器５に対する操作に応じて録画した番組の再生を開始する。これによりユーザは、リモコン３を用いた明示的な操作によって、テレビジョン受信機１が自動的に録画した番組を再生し、視聴することができる。
【００７６】
またテレビジョン受信機１は、携帯電話器５に対する操作に応じて録画を開始した後、携帯電話器５から所定時間に亘って操作内容を受信しない場合に、録画開始した番組の再生を行う。これにより、ユーザが携帯電話器５の操作を終了した後、テレビジョン受信機１にて録画した番組が自動的に再生され、ユーザがこれを視聴することができる。
【００７７】
またテレビジョン受信機１は、携帯電話器５に対する操作に応じて録画した番組が、所定時間に亘って再生されない場合、この番組に係る番組データを番組記録部１７から消去する。これにより、テレビジョン受信機１が自動的に録画した番組によって、番組記録部１７の残容量が低下することを防止できる。
【００７８】
また録画システムは、ユーザがリモコン３に代えて携帯電話器５にてテレビジョン受信機１の操作を行うことができる。携帯電話器５は、テレビジョン受信機１に対する操作を操作部５６にて受け付け、受け付けた操作内容をテレビジョン受信機１へ送信する。テレビジョン受信機１は、携帯電話器５から操作内容を受信した場合、自装置に関する操作であるか又は携帯電話器５に関する操作であるかを判定する。テレビジョン受信機１は、自装置に関する操作であると判定した操作内容に応じて、選局又は音量増減等の種々の処理を行う。このときにテレビジョン受信機１は、自装置に関する操作に応じて上述の自動録画を行うことはない。テレビジョン受信機１は、携帯電話器５に関するものであると判定した操作に応じて上述の自動録画を行う。これにより、ユーザにとって不要な番組の録画がテレビジョン受信機１にて自動的に行われることを防止できる。
【００７９】
なお本実施の形態においては、端末装置として携帯電話器５を例に説明を行ったが、端末装置はこれに限るものではなく、例えばタブレット端末、スマートフォン又はＰＣ（Personal Computer）等のその他の装置であってもよい。また録画装置として録画機能を有
するテレビジョン受信機１を例に説明を行ったが、録画装置はこれに限るものではなく、ハードディスクレコーダ又はＢＤ（Blue-ray Disc）レコーダ等のように、テレビジョン
受信機１に外部接続される録画装置であってもよい。
【００８０】
テレビジョン受信機と録画装置とが別装置の場合、端末装置は録画装置に接続してもよく、録画装置が接続されたテレビジョン受信機に接続してもよい。テレビジョン受信機及び録画装置は互いに情報の送受信を行い、必要な情報の取得及び他方への動作指示等を行う。例えば端末装置を録画装置に接続する構成の場合、録画装置は視聴中のテレビジョン放送の放送局などの情報をテレビジョン受信機から取得して、端末装置に対する操作に応じて視聴中のテレビジョン放送に係る番組を録画する。また例えば端末装置をテレビジョン受信機に接続する構成の場合、端末装置に対する操作内容をテレビジョン受信機から録画装置が取得し、端末装置に対する操作に応じた録画を行う。又は、端末装置に対する操作の有無の判定などをテレビジョン受信機が行い、視聴中の番組を録画すると判定した場合にテレビジョン受信機から録画装置へ録画指示を与えてもよい。
【００８１】
またテレビジョン受信機１及び携帯電話器５を有線接続し、通信線４を介して情報の送受信を行う構成としたが、これに限るものではなく、テレビジョン受信機１及び携帯電話器５が無線通信により情報の送受信を行う構成としてもよい。またテレビジョン受信機１から携帯電話器５へ通信線４を介して電力供給を行う構成としたが、これに限るものではなく、電力供給を行わない構成であってよい。
【００８２】
（実施の形態２）
ユーザが携帯電話器５の操作に集中し、テレビジョン受信機１にて番組を視聴していない場合、テレビジョン受信機１にて電力が無駄に消費されていることとなる。そこで実施の形態２においては、このような状況において、テレビジョン受信機１の消費電力を低減する構成について説明する。図１０は、実施の形態２に係るテレビジョン受信機１の低消費電力機能を説明するための状態遷移図である。実施の形態２に係るテレビジョン受信機１の制御部１０は、低消費電力機能に関して、待機状態、準備状態及び低消費電力状態の３状態を遷移して処理を行っている。
【００８３】
待機状態は、テレビジョン受信機１の起動後の初期状態であり、表示部１２による番組の表示などを行っている状態である。通信部１３に通信線４を介して携帯電話器５が接続されていない場合、待機状態から他の状態へ遷移しない。また準備状態は、テレビジョン受信機１が携帯電話器５に対する操作状況を監視している状態であり、この状態においても表示部１２による番組の表示などを行っている。待機状態及び準備状態において、テレビジョン受信機１は、通常の電力消費量で動作している。なお待機状態及び準備状態にてテレビジョン受信機１が行う処理は、図４〜図６に示した待機状態及び準備状態と同様であるため、説明を省略する。
【００８４】
低消費電力状態は、テレビジョン受信機１が表示部１２による番組の表示及びスピーカからの音声出力等を停止し、電力消費量を低減した状態である。準備状態において所定時間内に携帯電話器５に対する操作が所定回数以上なされた場合に、テレビジョン受信機１の制御部１０は低消費電力状態へ遷移する。録画状態において制御部１０は、通信部１３による操作内容の受信を行い、所定時間に亘って操作内容を受信しない場合、即ち所定時間に亘って携帯電話器５に対する操作がなされない場合に、表示部１２の表示及びスピーカの音声出力等を再開し、待機状態へ遷移する。
【００８５】
図１１は、実施の形態２に係るテレビジョン受信機１が低消費電力状態にて行う処理の手順を示すフローチャートである。なお本処理においては、無操作カウンタを用いるが、これは例えば制御部１０内のレジスタなどを用いて実現される。低消費電力状態へ遷移した制御部１０は、まず、表示部１２による番組の表示（及びスピーカからの音声出力等）を停止し（ステップＳ７１）、無操作カウンタの値を０に初期化する（ステップＳ７２）。
【００８６】
制御部１０は、ステップＳ７３〜Ｓ７７の処理を単位時間の周期で繰り返し行う。制御部１０は、通信部１３での携帯電話器５からの操作内容の受信回数を計数することにより、単位時間における携帯電話器５の操作回数を計数し（ステップＳ７３）、計数した操作回数が閾値Ｔａ以上であるか否かを判定する（ステップＳ７４）。操作回数が閾値Ｔａ以上の場合（Ｓ７４：ＹＥＳ）、制御部１０は、無操作カウンタの値を０に設定し（ステップＳ７５）、ステップＳ７３へ処理を戻す。
【００８７】
操作回数が閾値Ｔａ未満の場合（Ｓ７４：ＮＯ）、制御部１０は、無操作カウンタの値を１増加させ（ステップＳ７６）、無操作カウンタの値が閾値Ｔｃを超えるか否かを更に判定する（ステップＳ７７）。無操作カウンタの値が閾値Ｔｃを超えない場合（Ｓ７７：ＮＯ）、制御部１０は、ステップＳ７３へ処理を戻す。無操作カウンタの値が閾値Ｔｃを超える場合（Ｓ７７：ＹＥＳ）、制御部１０は、表示部１２による番組の表示（及びスピーカからの音声出力等）を開始し（ステップＳ７８）、待機状態へ遷移して（ステップＳ７９）、低消費電力状態での処理を終了する。
【００８８】
以上の構成の実施の形態２に係る録画システムは、テレビジョン受信機１が例えば表示部１２による表示を行わないなどにより消費電力を低減する低消費電力状態と、通常の消費電力で動作するその他の状態との切り替えを行うことができる。テレビジョン受信機１は、所定時間内に所定回数分の操作内容を受信した場合、即ち携帯電話器５にて所定時間内に所定回数の操作がなされた場合に、低消費電力状態への切り替えを行う。これにより、ユーザが携帯電話器５の操作に集中していることが推定される場合に、テレビジョン受信機１の消費電力を低減することができる。
【００８９】
なおテレビジョン受信機１は、上記のような消費電力を低減する機能と、実施の形態１にて説明した自動録画機能との両方を備える構成であってよく、いずれか一方のみを備える構成であってよい。テレビジョン受信機１が消費電力低減機能のみを備える構成の場合、番組の録画に係る機能（例えば図１に示した番組記録部１７）は備えていなくてよい。またテレビジョン受信機１は、低消費電力状態において表示部１２の表示及びスピーカの音声出力等を停止して消費電力を低減する構成としたが、これに限るものではなく、その他の方法で消費電力を低減してもよい。
【００９０】
また、実施の形態２に係る録画システムのその他の構成は、実施の形態１に係る録画システムの構成と同様であるため、同様の箇所には同じ符号を付して詳細な説明を省略する。
【００９１】
（実施の形態３）
実施の形態３に係る録画システムは、ユーザが携帯電話器５の操作に集中して番組を視聴していないとテレビジョン受信機１が判断した場合、この番組の録画を開始する前に、ユーザに対して録画を行うか否かの問い合わせを行う構成である。
【００９２】
実施の形態３に係るテレビジョン受信機１の制御部１０は、図４に示した状態遷移における準備状態にて、所定時間に所定回数の操作ありと判定した場合、録画状態へ遷移する前に、携帯電話器５へ番組の録画を行うか否かの問い合わせを通信部１３から送信する。この問い合わせを受信した携帯電話器５の制御部５１は、例えば表示部５５に録画を行うか否かをユーザに選択させる選択画面を表示し、操作部５６にてユーザの選択を受け付ける。制御部５１は、受け付けた選択に応じて録画を行うか否かの応答を通信部５９からテレビジョン受信機１へ送信する。
【００９３】
携帯電話器５からの応答を受信したテレビジョン受信機１の制御部１０は、録画を行う旨の応答である場合、録画状態へ遷移して番組の録画を開始する。また録画を行わない旨の応答である場合、制御部１０は、録画状態への遷移を行わず、準備状態にて待機するか又は待機状態へ遷移する。これによりテレビジョン受信機１にて番組の録画が開始されることはない。
【００９４】
なお、携帯電話器５から録画を行わない旨の応答を受信した場合、テレビジョン受信機１は、その後の所定時間（例えば３０分又は１時間等）は録画を行うか否かの問い合わせを行わず、携帯電話器５に対する操作に応じた自動的な番組の録画を行わない構成とすることができる。これにより、録画を行うか否かの選択画面が携帯電話器５の表示部５５に繰り返し表示されることを防止できる。またテレビジョン受信機１は、録画を行わない旨の応答を受信した番組が終了するまで、問い合わせ及び録画を行わない構成としてもよい。
【００９５】
図１２は、実施の形態３に係るテレビジョン受信機１が準備状態にて行う処理の手順を示すフローチャートである。準備状態へ遷移したテレビジョン受信機１の制御部１０は、まず、操作中カウンタ及び無操作カウンタの値を０に初期化する（ステップＳ８１）。次いで制御部１０は、通信部１３での携帯電話器５からの操作内容の受信回数を計数することにより、単位時間における携帯電話器５の操作回数を計数し（ステップＳ８２）、計数した操作回数が閾値Ｔａ以上であるか否かを判定する（ステップＳ８３）。
【００９６】
操作回数が閾値Ｔａ以上の場合（Ｓ８３：ＹＥＳ）、制御部１０は、操作中カウンタの値を１増加させると共に（ステップＳ８４）、無操作カウンタの値を０に設定する（ステップＳ８５）。制御部１０は、操作中カウンタの値が閾値Ｔｂを超えるか否かを判定する（ステップＳ８６）。操作中カウンタの値が閾値Ｔｂを超えない場合（Ｓ８６：ＮＯ）、制御部１０は、ステップＳ８２へ処理を戻す。
【００９７】
操作中カウンタの値が閾値Ｔｂを超える場合（Ｓ８６：ＹＥＳ）、制御部１０は、テレビジョン放送に係る番組の録画を行うか否かの問い合わせを携帯電話器５に対して行う（ステップＳ８７）。制御部１０は、この問い合わせに対して携帯電話器５から送信される応答を通信部１３にて受信し、録画する旨の応答であるか否かを判定する（ステップＳ８８）。録画する旨の応答である場合（Ｓ８８：ＹＥＳ）、制御部１０は、録画状態へ遷移し（ステップＳ８９）、準備状態での処理を終了する。また録画しない旨の応答である場合（Ｓ８８：ＮＯ）、制御部１０は、待機状態へ遷移し（ステップＳ９３）、準備状態での処理を終了する。
【００９８】
また、操作回数が閾値Ｔａ未満の場合（Ｓ８３：ＮＯ）、制御部１０は、操作中カウンタの値を０に設定すると共に（ステップＳ９０）、無操作カウンタの値を１増加させる（ステップＳ９１）。制御部１０は、無操作カウンタの値が閾値Ｔｃを超えるか否かを判定する（ステップＳ９２）。無操作カウンタの値が閾値Ｔｃを超えない場合（Ｓ９２：ＮＯ）、制御部１０は、ステップＳ８２へ処理を戻す。無操作カウンタの値が閾値Ｔｃを超える場合（Ｓ９２：ＹＥＳ）、制御部１０は、待機状態へ遷移し（ステップＳ９３）、準備状態での処理を終了する。
【００９９】
図１３は、実施の形態３に係る携帯電話器５が行う処理の手順を示すフローチャートである。携帯電話器５の制御部５１は、テレビジョン受信機１から録画を行うか否かの問い合わせを通信部５９にて受信したか否かを判定し（ステップＳ１０１）、問い合わせを受信していない場合には（Ｓ１０１：ＮＯ）、問い合わせを受信するまで待機する。
【０１００】
テレビジョン受信機１からの問い合わせを受信した場合（Ｓ１０１：ＹＥＳ）、制御部５１は、録画を行うか否かの選択を受け付けるための録画選択画面を表示部５５に表示し（ステップＳ１０２）、操作部５６による選択を受け付ける。録画する選択がなされた場合（Ｓ１０３：ＹＥＳ）、制御部５１は、録画する旨の応答を通信部５９からテレビジョン受信機１へ送信し（ステップＳ１０４）、処理を終了する。録画をしない選択がなされた場合（Ｓ１０３：ＮＯ）、制御部５１は、録画をしない旨の応答をテレビジョン受信機１へ送信し（ステップＳ１０５）、処理を終了する。
【０１０１】
以上の構成の実施の形態３に係る録画システムは、録画状態へ遷移して録画を開始する前にテレビジョン受信機１が録画の可否を携帯電話器５へ問い合わせる。問い合わせを受信した携帯電話器５は、表示部５５に録画選択画面を表示して、録画を行うか否かの選択をユーザから受け付け、ユーザの選択をテレビジョン受信機１へ応答として送信する。テレビジョン受信機１は、携帯電話器５からの応答に応じて録画を行うか否かを判断する。これにより、ユーザにとって録画不要な番組の録画が開始されることを防止できる。
【０１０２】
なお、実施の形態３に係る録画システムのその他の構成は、実施の形態１に係る録画システムの構成と同様であるため、同様の箇所には同じ符号を付して詳細な説明を省略する。
【０１０３】
（実施の形態４）
実施の形態４に係る録画システムは、テレビジョン受信機１から携帯電話器５へ検索キーワードなどの情報送信を行う構成である。実施の形態４に係るテレビジョン受信機１は、例えば図４に示した状態遷移の待機状態において、チューナ部１１にて受信したテレビジョン放送に含まれるテキスト情報などを抽出し、抽出した情報を通信部１３から携帯電話器５へ送信する。
【０１０４】
例えば受信したテレビジョン放送に、番組表などのためのデータとしてテキスト情報が含まれている場合、テレビジョン受信機１はこの情報を抽出して携帯電話器５へ送信することができる。また例えば表示部１２に表示するテレビジョン放送の番組に係る画像中に文字が含まれている場合、テレビジョン受信機１は、画像処理によって表示画像から文字認識を行って文字を抽出してもよい。
【０１０５】
テレビジョン受信機１からの情報を受信した携帯電話器５は、例えば受信したテキスト情報を表示部５５に一覧表示する。図１４は、携帯電話器５によるテキスト情報の表示例を示す模式図である。携帯電話器５は、テレビジョン受信機１から受信したテキスト情報を検索キーワードとして一覧表示すると共に、表示した検索キーワードに対する選択操作を操作部５６にて受け付ける。検索キーワードの選択を受け付けた携帯電話器５は、例えばブラウザなどのプログラムを起動し、選択された検索キーワードによる情報検索を行い、検索結果を表示部５５に表示する。その後、ユーザが携帯電話器５に対する操作を継続して行った場合には、上述のようにテレビジョン受信機１による番組の録画が開始される。
【０１０６】
図１５は、実施の形態４に係るテレビジョン受信機１が待機状態にて行う処理の手順を示すフローチャートである。実施の形態４に係るテレビジョン受信機１の制御部１０は、チューナ部１１にて受信したテレビジョン放送から検索キーワードとなるテキスト情報を検出する処理を行っている。制御部１０は、テレビジョン放送から検索キーワードを検出したか否かを判定し（ステップＳ１１１）、検索キーワードを検出した場合には（Ｓ１１１：ＹＥＳ）、この検索キーワードを取得して（ステップＳ１１２）、通信部１３から携帯電話器５へ検索キーワードを送信し（ステップＳ１１３）、ステップＳ１１４へ処理を進める。また検索キーワードを検出しない場合には（Ｓ１１１：ＮＯ）、制御部１０は、ステップＳ１１４へ処理を進める。
【０１０７】
次いで制御部１０は、通信部１３にて携帯電話器５から送信される操作内容を受信したか否かを判定し（ステップＳ１１４）、操作内容を受信していない場合には（Ｓ１１４：ＮＯ）、ステップＳ１１１へ処理を戻す。操作内容を受信した場合（Ｓ１１４：ＹＥＳ）、制御部１０は、受信した操作内容が自装置に関するものであるか否かを更に判定する（ステップＳ１１５）。操作内容が自装置に関するものである場合（Ｓ１１５：ＹＥＳ）、制御部１０は、受信した操作に用に応じた処理を行って（ステップＳ１１６）、ステップＳ１１１へ処理を戻す。受信した操作内容が携帯電話器５に関するものである場合（Ｓ１１５：ＮＯ）、制御部１０は、準備状態へ遷移し（ステップＳ１１７）、待機状態での処理を終了する。
【０１０８】
図１６は、実施の形態４に係る携帯電話器５が行う検索キーワード表示処理の手順を示すフローチャートである。実施の形態４に係る携帯電話器５の制御部５１は、通信部５９にてテレビジョン受信機１からの検索キーワードを受信したか否かを判定する（ステップＳ１２１）。検索キーワードを受信した場合（Ｓ１２１：ＹＥＳ）、制御部５１は、受信した検索キーワードをＲＡＭ５８に記憶し（ステップＳ１２２）、新たに記憶した検索キーワードを既に記憶された検索キーワードと共に表示部５５に一覧表示して（ステップＳ１２３）、ステップＳ１２４へ処理を進める。またテレビジョン受信機１から検索キーワードを受信していない場合（Ｓ１２１：ＮＯ）、制御部５１は、ステップＳ１２４へ処理を進める。
【０１０９】
次いで制御部５１は、操作部５６に対する操作によって、一覧表示した検索キーワードから一又は複数の検索キーワードが選択されたか否かを判定する（ステップＳ１２４）。検索キーワードが選択されていない場合（Ｓ１２４：ＮＯ）、制御部５１は、ステップＳ１２１へ処理を戻す。検索キーワードが選択された場合（Ｓ１２４：ＹＥＳ）、制御部５１は、ブラウザのプログラムを起動して選択された検索キーワードに係る検索を行い（ステップＳ１２５）、検索によって得られた情報を表示部５５に表示して（ステップＳ１２６）、処理を終了する。
【０１１０】
以上の構成の実施の形態４に係る録画システムは、テレビジョン受信機１が受信したテレビジョン放送から、例えば放送中の番組に係る検索キーワードなどの所定情報を取得して携帯電話器５へ送信する。携帯電話器５は、テレビジョン受信機１から受信した検索キーワードを表示部５５に一覧表示して、ユーザによる検索キーワードの選択を受け付け、選択された検索キーワードに係る情報検索をインターネットなどを介して行い、検索された情報を表示する。これによりユーザはテレビジョン受信機１にて視聴中の番組に係る情報を携帯電話器５にて容易に検索することができる。またこのような状況において、ユーザが携帯電話器５の操作に集中した場合であっても、上述のようにテレビジョン受信機１にて視聴中の番組を自動的に録画することができる。
【０１１１】
なお本実施の形態においては、テレビジョン受信機１が検索キーワードを取得して携帯電話器５へ送信する構成としたが、これに限るものではない。テレビジョン受信機１から携帯電話器５へ送信する情報は、例えば検索キーワード以外の種々のテキスト情報であってよく、また例えばテキスト情報以外の画像又は音声等の情報であってもよく、更に他の情報であってもよい。また、テレビジョン受信機１からの検索キーワードを受信した携帯電話器５は、検索キーワードを一覧表示してユーザによる選択を受け付け、選択された検索キーワードによる検索を行う構成としたが、これに限るものではない。携帯電話器５は、テレビジョン受信機１からの情報をどのような処理に用いてもよい。
【０１１２】
なお、実施の形態４に係る録画システムのその他の構成は、実施の形態１に係る録画システムの構成と同様であるため、同様の箇所には同じ符号を付して詳細な説明を省略する。
【符号の説明】
【０１１３】
１  テレビジョン受信機（録画装置）
３  リモコン（受付手段）
４  通信線
５  携帯電話器（端末装置）
１０  制御部（録画手段、再生手段、消去手段、判定手段、状態切替手段）
１１  チューナ部（テレビジョン放送受信手段）
１２  表示部
１３  通信部（受信手段）
１７  番組記録部（録画手段）
３１  操作部
５１  制御部
５６  操作部
５９  通信部
【図１】
2013255213.tif 000003
【図２】
2013255213.tif 000004
【図３】
2013255213.tif 000005
【図４】
2013255213.tif 000006
【図５】
2013255213.tif 000007
【図６】
2013255213.tif 000008
【図７】
2013255213.tif 000009
【図８】
2013255213.tif 000010
【図９】
2013255213.tif 000011
【図１０】
2013255213.tif 000012
【図１１】
2013255213.tif 000013
【図１２】
2013255213.tif 000014
【図１３】
2013255213.tif 000015
【図１４】
2013255213.tif 000016
【図１５】
2013255213.tif 000017
【図１６】
2013255213.tif 000018